(57)【特許請求の範囲】
【請求項１】
マンホール構造物の周囲の地盤に発生した過剰間隙水を排水する過剰間隙水排水構造の構成方法であって、
マンホール構造物の底部に、この底部の内面から上下方向中間位置に至る上下方向の支持孔をあける第１の工程と、
下端部が前記支持孔内に密封的に差し込まれて上方に延びる鞘管を、前記マンホール構造物内に設ける第２の工程と、
前記鞘管内に液体を注入し、前記支持孔の底面部に水圧をかける第３の工程と、
前記鞘管内に入れられているドリルを駆動して、前記支持孔の底面部から前記底部の外面まで貫通する上下方向の取付孔をあける第４の工程と、
前記ドリルを前記鞘管から取り出し、液体が収容されている前記鞘管内に濾過器を入れ、この濾過器を前記取付孔内に取り付ける第５の工程と、
前記鞘管を前記支持孔から取り外し、前記濾過器に、上方に延びる排水管を取り付ける第６の工程と、を備えることを特徴とする過剰間隙水排水構造の構成方法。
【請求項２】
前記支持孔は前記取付孔よりも大径である、ことを特徴とする請求項1記載の過剰間隙水排水構造の構成方法。
【請求項３】
前記第５の工程では、前記濾過器を、前記取付孔内にきつく押し込むことにより、前記取付孔内に取り付ける、ことを特徴とする請求項１又は２記載の過剰間隙水排水構造の構成方法。
【請求項４】
前記排水管は、前記濾過器から前記マンホール構造物の内周面の近くまで延びる引き出し部と、この引き出し部の先端から前記内周面に沿って上方に延びる本体部と、を有していて、
前記第６の工程は、前記引き出し部を前記底部の前記内面の下側に埋め込む工程を有している、ことを特徴とする請求項１、２又は３記載の過剰間隙水排水構造の構成方法。
【請求項５】
前記支持孔の上端開口部を底部蓋体で開放可能に閉塞する工程を備えている、ことを特徴とする請求項１、２、３又は４記載の過剰間隙水排水構造の構成方法。
【請求項６】
前記排水管の先端開口部には、過剰間隙水の水圧により開放方向に揺動してこの先端開口部を開放する先端部蓋体が揺動自在に設けられている、ことを特徴とする請求項１、２、３、４又は５記載の過剰間隙水排水構造の構成方法。
【請求項７】
前記濾過器は、下面に流入孔を有する濾過器本体と、この濾過器本体から上方に延びる、止水バルブが設けられた接続パイプ部と、を有し、この濾過器本体が前記取付孔内にきつく押し込まれることにより、前記取付孔内に取り付けられていて、    
前記排水管は、前記接続パイプ部の先端側に接続されている、ことを特徴とする請求項１、２、３、４、５又は６記載の過剰間隙水排水構造の構成方法。
【請求項８】
前記濾過器本体の外周にはシール部材が設けられ、このシール部材が、前記濾過器本体と前記取付孔との間で圧縮されるように、前記濾過器本体を前記取付孔内にきつく押し込む、ことを特徴とする請求項７記載の過剰間隙水排水構造の構成方法。
【請求項９】
前記シール部材の底面は、上方に傾斜しながら外側に延びるように形成されている、ことを特徴とする請求項８記載の過剰間隙水排水構造の構成方法。
【請求項１０】
前記濾過器本体の内部には、前記流入孔位置に濾過網が設けられ、この濾過網の上に粗骨材が配置されている、ことを特徴とする請求項７、８又は９記載の過剰間隙水排水構造の構成方法。
【請求項１１】
前記濾過網は樹脂製であり、この濾過網の下側にパンチングプレートが敷かれている、ことを特徴とする請求項１０記載の過剰間隙水排水構造の構成方法。
【請求項１２】
マンホール構造物の周囲の地盤に発生した過剰間隙水を排水する過剰間隙水排水構造であって、
マンホール構造物の底部に、この底部の内面から上下方向中間位置に至るようにあけられた上下方向の第１の孔と、
前記第１の孔の底面部から前記底部の外面まで貫通するようにあけられた、前記第１の孔よりも小径の上下方向の第２の孔と、
濾過器本体及びこの濾過器本体から上方に延びる、止水バルブが設けられた接続パイプ部を有し、前記第２の孔内に前記濾過器本体が圧入され、前記第１の孔内に前記接続パイプ部が配置された濾過器と、
前記濾過器の前記接続パイプ部に取り付けられた、上方に延びる排水管と、を備えたことを特徴とする過剰間隙水排水構造。
【請求項１３】
マンホール構造物の底部に、この底部の内面から上下方向中間位置に至るようにあけられた上下方向の第１の孔と、前記第１の孔の底面部から前記底部の外面まで貫通するようにあけられた、前記第１の孔よりも小径の上下方向の第２の孔と、前記第２の孔内に圧入された濾過器と、前記濾過器に取り付けられた、上方に延びる排水管と、を備える、前記マンホール構造物の周囲の地盤に発生した過剰間隙水を排水する過剰間隙水排水構造に使用する前記濾過器であって、
下面に流入口を有する濾過器本体と、この濾過器本体から上方に延びる、止水バルブが設けられた接続パイプ部と、前記濾過器本体の外周に設けられたシール部材と、を備え、
前記シール部材が設けられた前記濾過機本体は、このシール部材が前記濾過機本体と前記第２の孔との間で圧縮されるように、前記第２の孔内に圧入されるものである、ことを特徴とする濾過器。
【請求項１４】
マンホール構造物の底部に、この底部の内面から上下方向中間位置に至るようにあけられた上下方向の第１の孔と、前記第１の孔の底面部から前記底部の外面まで貫通するようにあけられた、前記第１の孔よりも小径の上下方向の第２の孔と、前記第２の孔内に取り付けられた濾過器と、前記濾過器に取り付けられた、上方に延びる排水管と、を備える、前記マンホール構造物の周囲の地盤に発生した過剰間隙水を排水する過剰間隙水排水構造に使用する前記濾過器であって、
下面に流入口を有し、前記第２の孔内に取り付けられる濾過器本体と、この濾過器本体から上方に延びる、止水バルブが設けられた接続パイプ部と、前記濾過器本体の外周に設けられたシール部材と、を備え、
前記シール部材は、前記濾過器本体と前記第２の孔との間で圧縮されるように構成されている、ことを特徴とする濾過器。
【発明の詳細な説明】
【技術分野】
【０００１】
本発明は、地震対策としてマンホール構造物周囲の地盤を締め固める際に、あるいは、地震の際に、マンホール構造物周囲の地盤に発生する過剰間隙水を排水するための過剰間隙水排水構造、この過剰間隙水排水構造の構成方法及び過剰間隙水排水構造に用いるのに適した濾過器に関する。
【背景技術】
【０００２】
地震により地盤が激しく振動すると地盤が液状化し、内部が空洞で比重が小さいマンホール構造物は、液状化した地盤からの浮力を受けて浮き上がるおそれがある。マンホール構造物が浮き上がると、マンホール構造物の上端側が道路の路面などから突出し、例えば、この突出したマンホール構造物の上端側に車両が衝突して大きな事故が引き起こされてしまう。
【０００３】
地震の際のこのようなマンホール構造物の浮き上がりは、例えば特許文献１に記載されているように、地震によって液状化する地盤の過剰間隙水を排水する排水構造をマンホール構造物に設けることにより効果的に防止することができる。地震の際のマンホール構造物の浮き上がりは、また、例えば特許文献２に記載されているように、マンホール構造物周囲の地盤に振動を与えるとともに、マンホール構造物に設けた過剰間隙水の排水構造を介して、振動によって発生する過剰間隙水を排水し、マンホール周囲の地盤を締め固めることによっても効果的に防止することができる。
【先行技術文献】
【特許文献】
【０００４】
【特許文献１】特開２００７−６３９６７号公報
【特許文献２】特開２００９−２６３８７１号公報
【発明の概要】
【発明が解決しようとする課題】
【０００５】
ところで、特許文献１や特許文献２の過剰間隙水排水構造では、マンホール構造物の周囲の地盤に発生した過剰間隙水は、マンホール構造物内に導かれ、マンホール構造物に接続されている下水管内に流されて排水されている。したがって、過剰間隙水のマンホール構造物内への入り口部分に、土砂などの流入を阻止する濾過器を設置するのが得策であるが、この濾過器は、下水管口部位置でマンホール側壁に配置されているので、濾過器を配置するに先立って、例えば周囲の地盤を凍結し、地下水のマンホール構造物内への浸入を防止する対策を施しておく必要がある。                                            
【０００６】
そこで本発明は、周囲の地盤を凍結することなく過剰間隙水排水構造を構成できる過剰間隙水排水構造の構成方法及び周囲の地盤を凍結することなく構成できる過剰間隙水排水構造の提供を目的とする。また、本発明は、過剰間隙水排水構造に用いるのに適した濾過器の提供を目的とする。
【課題を解決するための手段】
【０００７】
この目的を達成するための本発明の過剰間隙水排水構造の構成方法は、マンホール構造物の周囲の地盤に発生した過剰間隙水を排水する過剰間隙水排水構造の構成方法であって、マンホール構造物の底部に、この底部の内面（あるいは上面）から上下方向中間位置に至る上下方向の（例えば垂直又はほぼ垂直の）支持孔をあける第１の工程と、下端部が前記支持孔内に密封的に差し込まれて上方に延びる（例えば垂直上方又はほぼ垂直上方に延びる）鞘管を、前記マンホール構造物内に設ける第２の工程と、前記鞘管内に液体を注入し、前記支持孔の底面部（あるいは下面部）に水圧をかける第３の工程と、前記鞘管内に入れられているドリルを駆動して、前記支持孔の底面部から前記底部の外面（下面）まで貫通する上下方向の（例えば垂直又はほぼ垂直の）取付孔をあける第４の工程と、前記ドリルを前記鞘管から取り出し、液体が収容されている前記鞘管内に濾過器を入れ、この濾過器を前記取付孔内に取り付ける第５の工程と、前記鞘管を前記支持孔から取り外し、前記濾過器に、上方に延びる排水管を取り付ける第６の工程と、を備えるものである。マンホール構造物の底部とは、マンホール構造物の底に位置し、流体通過性を有していない部分である。本発明では、マンホール構造物の底部に、濾過器を取り付けるための貫通孔を形成しても、鞘管内に注入された液体により、地下水がこの貫通孔からマンホール構造物内に流れ込むことはない。したがって、濾過器を取り付けるに際して、地下水のマンホール構造物内への流れ込みを防止するために、地盤を凍結させるといった工法は不必要となる。ドリルは、鞘管をマンホール構造物内に設ける際に鞘管内に入れることができる。あるいは、ドリルは、鞘管をマンホール構造物内に設けてから鞘管内に入れることができる。液体は、鞘管内にドリルを入れてから鞘管内に注入することができる。あるいは、液体は、鞘管内にドリルを入れる前に鞘管内に注入することができる。排水管は、マンホール構造物の内側に配置されることとなる。
【０００８】
支持孔は取付孔よりも大径であるのが得策である。取付孔の形成が容易となる。
【０００９】
第５の工程で、濾過器を、取付孔内にきつく押し込むことにより、取付孔内に取り付けることとすれば、濾過器の配置が簡単となる。
【００１０】
排水管が、濾過器からマンホール構造物の内周面の近くまで延びる引き出し部と、この引き出し部の先端から内周面に沿って上方に延びる本体部と、を有していて、第６の工程が、引き出し部を底部の内面の下側に埋め込む工程を有していれば、過剰間隙水排水構造の構成後のマンホール構造物の内側形状が複雑とはならない。
【００１１】
支持孔の上端開口部を底部蓋体で開放可能に閉塞する工程を備えていれば、マンホール構造物の底部内面形状がフラットなものとなる。
【００１２】
排水管の先端開口部に、過剰間隙水の水圧により開放方向に揺動してこの先端開口部を開放する先端部蓋体を揺動自在に設けておけば、簡単な構成で、下水が地中に逆流するのを効果的に防止できる。
【００１３】
濾過器は、下面に流入孔を有する濾過器本体と、この濾過器本体から上方に延びる、止水バルブが設けられた接続パイプ部と、を有し、この濾過器本体が取付孔内にきつく押し込まれることにより、取付孔内に取り付けられるものとすることができる。ここでは、濾過器本体の外周にシール部材を設けておき、このシール部材が、濾過器本体と取付孔との間で圧縮されるように、濾過器本体が取付孔内にきつく押し込まれるといったように構成できる。排水管は、接続パイプ部の先端側に接続される。止水バルブは、接続パイプ部の流水路を開閉する。
【００１４】
シール部材の底面は、上方に傾斜しながら外側に延びるように形成されていることが好ましい。このように構成すれば、シール部材の外側への突出量を大きくしても、濾過器本体を取付孔内に押し込む際に押し込み抵抗が過大となることはない。
【００１５】
濾過器本体の内部には濾過構造が形成されるが、この濾過構造は、流入孔位置に設けられた濾過網と、この濾過網の上に配置された、粗骨材（例えばメサライト）と、を有しているのが好ましい。濾過網で大きめの固形物が取り除かれ、メサライト等の粗骨材で小さな汚れを取り除く。
【００１６】
濾過網を樹脂製とし、この濾過網の下側にパンチングプレートを敷いておくのが好ましい。樹脂製の濾過網は、網目を小さくできるが、強度が不足する。下側にパンチングプレートを敷いておけば、大きな固形物はパンチングプレートで取り除かれる。
【００１７】
また、本発明の過剰間隙水排水構造は、マンホール構造物の周囲の地盤に発生した過剰間隙水を排水する過剰間隙水排水構造であって、マンホール構造物の底部に、この底部の内面から上下方向中間位置に至るようにあけられた上下方向の（例えば垂直又はほぼ垂直の）第１の孔と、前記第１の孔の底面部から前記底部の外面まで貫通するようにあけられた、前記第１の孔よりも小径の上下方向の（例えば垂直又はほぼ垂直の）第２の孔と、前記第２の孔内に圧入された濾過器と、前記濾過器に取り付けられた、上方に延びる排水管と、を備えたものである。この過剰間隙水排水構造は、例えば、周囲の地盤の凍結を行なうことなく、既設の構造物に簡単に構成することができる。
【００１８】
同様に、濾過器は、下面に流入口を有する濾過器本体と、この濾過器本体から上方に延びる、止水バルブが設けられた接続パイプ部と、前記濾過器本体の外周に設けられたシール部材と、を備えたものとすることができる。シール部材が、濾過器本体と第２の孔との間で圧縮されるように、この濾過器本体を第２の孔内に圧入する。同様に、止水バルブは、接続パイプ部の流水路を開閉する。
【発明の効果】
【００１９】
以上説明したように、本発明の過剰間隙水排水構造の構成方法を用いれば、既設のマンホール構造物に簡単に過剰間隙水排水構造を構成できる。また、本発明の過剰間隙水排水構造は、例えば、周囲の地盤の凍結を行なうことなく、既設の構造物に簡単に構成することができるものである。そして、本発明の濾過器は、本発明の過剰間隙水排水構造の構成方法や本発明の過剰間隙水排水構造に用いるのに適したものである。
【図面の簡単な説明】
【００２０】
【図１】本発明に係る過剰間隙水排水構造を備えたマンホール構造物の構成又は本発明に係る過剰間隙水排水構造の構成方法が実施されたマンホール構造物の構成を示す図である。
【図２】濾過器部分の詳細を示す図である。
【図３】過剰間隙水排水構造の構成方法を示すフローである。
【図４】底部削孔工程を示す図であり、支持孔の形成を説明する図である。
【図５】底部削孔工程を示す図であり、コアカッターを鞘管内に配置した状態を説明する図である。
【図６】底部削孔工程を示す図であり、鞘管内に水を入れた状態を説明する図である。
【図７】底部削孔工程を示す図であり、取付孔の形成を説明する図である。
【図８】濾過器等設置工程を示す図であり、濾過器の取付孔内への取り付けを説明する図である。
【図９】濾過器等設置工程を示す図であり、インバートコンクリートの内面に形成されたガイド溝を説明する図である。
【図１０】濾過器等設置工程を示す図であり、ガイドパイプをガイド溝内に納め、ガイド溝をコンクリートで塞いだ状態を説明する図である。
【図１１】濾過器の構造を示す断面図である。
【図１２】濾過器の別の取付態様を示す図である。
【図１３】濾過器のさらに別の取付態様を示す図である。
【発明を実施するための形態】
【００２１】
以下、本発明を実施するための形態を図面を参照して説明する。
【００２２】
図１は、本発明に係る過剰間隙水排水構造を備えたマンホール構造物の構成又は本発明に係る過剰間隙水排水構造の構成方法が実施されたマンホール構造物の構成を示す図、図２は濾過器部分の詳細を示す図である。
【００２３】
マンホール構造物１は、基礎砕石３の上に底版ブロック５を載せ、この底版ブロック５上にマンホール本体７を設置して構成されていて、マンホール本体７は、底版ブロック５上に載せられた、下水管９が接続されている環状の管取付壁部１１と、この管取付壁部１１上に載せられた環状の直壁部１３と、大径の下端開口部及び小径の上端開口部を有し、周方向一個所１５が垂直に立ち上がるように形成された、直壁部１３上に載せられている環状の斜壁部１７と、この斜壁部１７上に載せられた調整リング１９と、この調整リング１９上に載せられた鉄製の蓋受け枠２１と、この蓋受け枠２１に取り付けられたマンホール蓋２３と、を有している。管取付壁部１１内には、底版ブロック５上に載るように、インバートコンクリート２５が収容され、このインバートコンクリート２５には、上流側の下水管９に連なる上流側開口２７から下流側の下水管９に連なる下流側開口２９まで延びるように、断面半円形の流水溝３１が設けられていて、この流水溝３１は、上流側開口２７及び下流側開口２９の下側半分と一致するように形成されている。
【００２４】
インバートコンクリート２５には、流水溝３１を挟んで一方側に、上面（内面）から底面（外面又は外側底面）まで貫通する大径（例えば直径約１８０ｍｍ）の操作孔３３が形成され、底版ブロック５には、この操作孔（第１の孔）３３の下側に、上面から底面まで貫通する小径（例えば直径約１３０ｍｍ）の取付孔（第２の孔）３５が形成されている。操作孔３３及び取付孔３５内には濾過器３７が配置されていて、取付孔３５及び操作孔３３を通過してマンホール本体７内に導かれる地下水は、この濾過器３７を通る際に濾過されることとなる。濾過器３７は、下面に流入口３８（図１１参照）を有する濾過器本体３９と、この濾過器本体３９に上方へ突出するように設けられた接続パイプ部４１と、接続パイプ部４１の流水路４２（図１１参照）を開閉できるように、この接続パイプ部４１に設けられた、開閉操作をするための操作部（操作回転ハンドル）４３を有する止水バルブ４４と、濾過器本体３９の外周に設けられた環状のシールリング（シール部材）４５と、を備えていて、濾過器本体３９が取付孔３５内に固定され、接続パイプ部４１が操作孔３３内に位置するように、操作孔３３及び取付孔３５内に配置されている。濾過器本体３９は、シールリング４５により取付孔３５との間が密封されるように、取付孔３５内に押し込まれて固定され、接続パイプ部４１の上端は、操作孔３３の上端開口部４６よりも下側に位置している。
【００２５】
接続パイプ部４１には、曲がり部を有するガイドパイプ（引き出し部）４７が接続され、このガイドパイプ４７は、接続パイプ部４１から管取付壁部１１内周面又は内周面近くに至り、あるいは、インバートコンクリート２５外周面又は外周面近くに至り、そして、管取付壁部１１内周面に沿って立ち上がるように曲げられていて、ガイドパイプ４７の先端部４９は、インバートコンクリート２５の内面（上面）から突出しているが、ガイドパイプ４７のその他の部分はインバートコンクリート２５内に位置している。ガイドパイプ４７の先端部４９には誘導パイプ（本体部）５１が接続され、この誘導パイプ５１は、管取付壁部１１内周面及び直壁部１３内周面に沿って垂直上方に延びていて、誘導パイプ５１の上端部は地下水位よりも上方に位置している。誘導パイプ５１の上端部は水平方向を向くように屈曲し、誘導パイプ５１の先端開口部５３は、誘導パイプ５１にヒンジ５５を介して揺動可能に取り付けられた排水蓋（先端部蓋体）５７により閉塞されているが、この排水蓋５７は、誘導パイプ５１内の水圧の上昇により揺動して誘導パイプ５１の先端開口部５３を開放する。なお、誘導パイプ５１内の水圧が下がっても、排水蓋５７は開放位置に保持されるように構成されていて、排水蓋５７を閉塞位置に戻すには、排水蓋５７を閉塞方向に回転させる必要がある。ヒンジ５５としては、誘導パイプ５１に設けられた一対のブラケットで、排水蓋５７に設けられた支持ピンを回転可能に支持する構成のものを採用できる。
【００２６】
インバートコンクリート２５の操作孔３３の上端開口部４６は、嵌め込み蓋（底部蓋体）５９で開放可能に塞がれていて、この嵌め込み蓋５９はインバートコンクリート２５の上面を形成している。
【００２７】
このような構成のマンホール構造物１では、取付孔３５及び操作孔３３内に配置された濾過器３７と、この濾過器３７に接続されたガイドパイプ４７と、このガイドパイプ４７に接続された誘導パイプ５１と、が過剰間隙水排水構造
６１を構成しているが、地震によりマンホール構造物１の周囲の地盤が振動し、地盤に過剰間隙水が発生しても、過剰間隙水は、通水性を有する基礎砕石３を通過して濾過器３７内を通り、濾過された状態で誘導パイプ５１内を上昇し、排水蓋５７を開放させてマンホール本体７内に放水され、下水管９内に流れ込む（矢印参照）。したがって、マンホール構造物１の周囲の地盤から過剰間隙水が排水されるので、地盤の液状化が阻止される。また、例えばマンホール構造物１自体を振動させることにより、マンホール構造物１の周囲の地盤を振動させて締め固める場合にも、地盤の振動により発生した過剰間隙水は、地震の際と同様に排水されるので、地盤の効果的な締め固めが達成され、地震の際の地盤の液状化が防止される。
【００２８】
図３は過剰間隙水排水構造６１の構成方法を示すフローである。
【００２９】
過剰間隙水排水構造６１の構成方法は、既存のマンホール構造物１に過剰間隙水排水構造６１を構成する方法であり、まず、既存のマンホール構造物１の周囲の路面に必要なスペースを確保し、作業帯を設置したり、警備員を配置したりする（保安設備工程Ａ）。次に、マンホール本体７内の堆積物や付着物を高圧水を吹き付けて除去する（マンホール洗浄工程Ｂ）。そして、マンホール構造物１のインバートコンクリート２５及び底版ブロック５に支持孔（操作孔）３３及び取付孔３５をあける（底部削孔工程Ｃ）。最後に、濾過器３７や誘導パイプ５１などを設置する（濾過器等設置工程Ｄ）。なお、過剰間隙水排水構造６１が完成したら、マンホール本体７に起振器を用いて振動を加えて周囲の地盤を締め固め（起振工程Ｅ）、その後、マンホール本体７の周壁から地盤内に注入材（例えばモルタル）を注入して周辺地盤の空隙を塞ぎ（空隙充填工程Ｆ）、マンホール構造物１又はマンホール本体７の浮き上がり対策を完了する。
【００３０】
図４乃至図７は底部削孔工呈Ａ（第１の工程乃至第４の工程）を示す図である。
【００３１】
底部削孔工程Ａでは、まず、支持孔３３をインバートコンクリート２５のどの位置に設けるかを決定する。支持孔３３を設ける位置は、例えば、当該位置から鞘管を斜壁部１９の上端開口部に当たらないように垂直に立てることができるような位置とする。支持孔３３を設ける位置が決まったら、削孔機６３をマンホール本体７内に設置し、予め定められた位置を削孔し、インバートコンクリート２５を貫通する支持孔３３を形成する（図４）。支持孔３３を形成したら、削孔機６３を取り外し、マンホール本体７内に、コアカッター６５が差し込まれた状態の鞘管６７を配置する。鞘管６７は、例えば支持孔３３の直径とほぼ等しい約１８０ｍｍの外径と、約１６０ｍｍの内径を有する複数の管部材を垂直に積み上げることにより構成され、最も下側の管部材（鋼管）は支持孔３３内に差し込まれて固定され、最も上側の管部材は、マンホール本体７の上端開口から突出している。最も下側の管部材と支持孔３３との間は密封されている。また、コアカッター６５は、外径が約１３０ｍｍのカッターヘッド６９に延長ロッド７１を接続したものであり、延長ロッド７１は、ロッド部材を垂直に又は長さ方向に複数接続することにより構成され、最も上側のロッド部材は最も上側の管部材よりも上方に延びている。鞘管６７内にコアカッター６５を配置するには、例えば、最も下側の管部材を支持孔３３内に固定したら、この管部材内にカッターヘッド６９を入れ、このカッターヘッド６９にロッド部材を１つ接続し、以後、管部材の積み上げに対応してロッド部材を接続していくといった方法を採用できる。そして、コアカッター６５を有する鞘管６７を配置できたら、コアカッター６５の延長ロッド７１の上端部を、地上に配置されたカッター駆動部７３に接続する（図５）。次に、鞘管６７内に水Ｗを入れる。水Ｗは、底版ブロック５に取付孔３３をあけたときに地下水が流れ込み、取付孔３３内に土砂等が入り込まないように、水面が地下水位よりも高くなるまで鞘管６７内に注入される（図６）。鞘管６７内に水Ｗを入れたら、カッター駆動部７３を作動させてカッターヘッド６９により、支持孔３５の下側に、底版ブロック５を貫通する取付孔３５を形成する（図７）。カッターヘッド６９は鞘管６７よりも小径である。
【００３２】
図８乃至図１０は濾過器等設置工程Ｄ（第５工程及び第６工程）を示す図である。
【００３３】
底版ブロック５に取り付け孔３５を形成したら、カッター駆動部７３を延長ロッド７１から取り外し、カッターヘッド６９とともに延長ロッド７１を鞘管６７から引き抜く。そして、延長ロッド７１に、カッターヘッド６９に換えて濾過器３７を接続し、延長ロッド７１を、濾過器３７側から鞘管６７内に差し込む。このとき、濾過器３７の止水バルブ４４は閉状態としておく。延長ロッド７１と濾過器３７との接続は、適当な濾過器圧入ジョイントを用いることにより行われる。そして、延長ロッド７１で濾過器３７を押し、濾過器本体３９を、外周のシールリング４５が潰れて変形するように、取付孔３５内に圧入する（図８）。濾過器３７を取付孔３５内に固定したら、ガイドパイプ４７の引き出し方向に沿って、支持孔３３から外周面に至るまで、インバートコンクリート２５の内面（表面）を削ってガイド溝７５を形成する（図９）。そして、ガイドパイプ４７の一端部を濾過器３７の接続パイプ部４１に接続し、ガイドパイプ４７がガイド溝７５内を通ってインバートコンクリート２５の外周に至り、ガイドパイプ４１の先端部がインバートコンクリート２５又はガイド溝７５から上方に突出するように、ガイドパイプ４７を配置する。ガイドパイプ４７をガイド溝７５内に配置したら、ガイド溝７５を、コンクリートを流し込んで固めることにより塞ぐ（図１０）。そして、インバートコンクリート２５から上方に突出しているガイドパイプ４７の先端部に誘導パイプ５１を接続するとともに、操作孔３３内に指又は回転用具を入れて操作部４３を回転させ、止水バルブ４４を通水状態又は開状態とし、支持孔（操作孔）３３を、取り外し可能な嵌め込み蓋５９で塞いでおく。
【００３４】
図１１は濾過器３７の構造を示す断面図である。
【００３５】
濾過器３７の濾過器本体３９は、上下両端開口の短い塩化ビニル製筒状体７７と、この筒状体７７の上端に配置された、中央に固定孔７９が形成されている塩化ビニル製環状補強プレート８１と、筒状体７７の上側に、環状補強プレート８１を覆うように被せられた、中央に固定孔７９よりも大きい連通孔８３が形成されている塩化ビニル製キャップ８５と、筒状体７７の下側に取り付けられた環状の塩化ビニル製集水部８７と、筒状体７７の外周に、キャップ８５と集水部８７との間で位置決めされて嵌め付けられた環状の水膨張ゴム製シールリング４５と、を備えていて、集水部８７は、筒状体７７の下側に嵌め付けられた上側リング部８９と、この上側リング部８９の下端に一体的に形成され、筒状体７７よりも下側で、縮径しながら下方に向かって延びる集水リング部９１と、を有している。集水リング部９１には、例えば周方向等間隔で、下端から上部に至る集水スリット９３が形成されている。集水部８７の集水リング部９１及び筒状体７７の下端開口は流入口３８を構成している。シールリング４５は、外周側に突出する３本の環状リップ部９５を上側に有していて、それぞれの環状リップ部９５の底面９７は、上側に傾斜しながら外側に延び又は拡径している。なお、図中９９は、キャップ８５の外周に嵌め付けられたストッパリングであり、このストッパリング９９の外径は取付孔３５の内径よりも大きい。そして、濾過器３７は、このストッパリング９９が底版プレート５の内面又は上面に当接するまで取付孔３５内に押し込まれる。
【００３６】
集水部８７の集水リング部９１の上端内側には、環状の固定面１０１が内側に突出するように形成されていて、ＳＵＳ製パンチングプレート１０３と、このパンチングプレート１０３の上面に重ねられたポリプロピレン製樹脂網１０５とが、外周部をこの固定面１０１と筒状体７７の下端とで挟み付けられて、流入口３８に配置されている。樹脂網１０５は網目ピッチが１．８ｍｍ×１．８ｍｍであり、パンチングプレート１０３は穴径５ｍｍ、開口率５０％以上に形成されている。
【００３７】
接続パイプ部４１は、筒状の本体部１０７と、この本体部１０７の下側内周に嵌め付けられた筒状の連通部１０９と、本体部１０７の上端部外周にねじ付けられたナット１１１と、を有している。本体部１０７の下端は、キャップ８５の連通孔８３内に位置して補強プレート８１の固定孔７９周囲に当接し、本体部１０７よりも下側に突出する連通部１０９の下端部は、補強プレート８１の固定孔７９を貫通してこの補強プレート８１に固定されている。補強プレート８１から下側に突出する連通部１０９の下端開口部には、ポリプロピレン製樹脂網１０５と同様の樹脂網１１３が被せられている。接続パイプ部４１には止水ボールバルブ（止水バルブ）４４が設けられていて、この止水ボールバルブ４４は、連結部１０９よりも上側の流水路４２内に配置されたボール１１７と、このボール１１７を回転させて、ボール１１７の貫通流路１１９を流水路４２に一致させたり、流水路４２をボール１１７で遮ったりする操作回転ハンドル４３と、を有している。図１１は、ボール１１７の貫通流路１１９と流水路４２とが一致し、止水ボールバルブ４４が開状態の場合を示している。
【００３８】
濾過器本体３９の筒状体７７内には、下側の樹脂網１０５と上側の樹脂膜１１３との間でメサライト１２３が充填されている。
【００３９】
本体部１０７の上端には割りリング１２５が配置されている。この割りリング１２５はテーパ状の外周面１２７を有し、このテーパ状の外周面１２７が、締め込まれるナット１１１の内周面１２９に押されて縮径し、割りリング１２５の内周に設けられた係合歯１３１が内側に移動するように構成されている。したがって、ナット１１１を緩めておき、ガイドパイプ４７を、本体部１０７内にナット１１１を貫通させて差し込み、それから、ナット１１１を締め込むと、係合歯１３１がガイドパイプ４７と係合し、ガイドパイプ４７を抜け止めすることとなる（図１１の状態）。なお、図中１３３は、ガイドパイプ４７と本体部１０７との間を密封するパッキン、１３５は、このパッキン１３３とナット１１１との間に配置されたすべりリングである。
【００４０】
図１２乃至図１３は濾過器３７の別の取付態様を示す図である。
【００４１】
支持孔をインバートコンクリートに垂直に形成すると、鞘管６７が斜壁部１９の上端開口部に当たってしまう場合などには、支持孔を垂直ではなく傾斜して形成することが必要となる。支持孔を傾斜して形成すれば、支持孔内に設けられた鞘管６７も傾斜し、鞘管６７の上端側をマンホール開口から支障なく突出させることができる場合も少なくない。図１２では、支持孔１３７（３３）をインバートコンクリート２５の内面から垂直方向に対して傾斜して形成した場合（流水溝３１を挟んで反対側に傾斜しながら上方に延びるように形成した場合）を示し、図１３では、支持孔１３９（３３）をインバートコンクリート１４１の流水溝１４３（３１）側から垂直方向に対して傾斜して形成した場合（流水溝１４３の幅方向中央を挟んで反対側に傾斜しながら上方に延びるように形成した場合）を示している。図１３では流水溝１４３の径はかなり大きい。ここでは、濾過器３７を取付孔１４５（３５）内に固定し、ガイド溝１４７（７５）を形成し、ガイドパイプ１４９（４７）を濾過器３７に接続したら、止水ボールバルブ１１５を開操作し、支持孔１３９及びガイド溝１４７をコンクリートで埋めてしまう。したがって、過剰間隙水の流込路を閉じる必要がある場合に備えて、ガイドパイプ１４９の先端側に止水ボールバルブ１１５と同様の止水ボールバルブ１５１を設けている。なお、図１２では、ガイドパイプ１５３をガイド溝内に埋め込むが、図１の場合と同様に、支持孔１３７は蓋で塞ぐだけとしておく。コアカッター６５のカッターヘッド６９は、自由に揺動できるように又はユニバーサルジョイントを介して接続ロッド部（カッターヘッド６９から短く突出しているロッド部分）に取り付けられているので、延長ロッド７１に対して垂直に近い傾斜状態に揺動して取付孔１５５（３５）、１４５をあけていくこととなる。したがって、取付孔１５５、１４５の垂直方向からの傾きは、支持孔１３７、１３９の垂直方向からの傾きよりも小さくなっている。また、嵌め込み蓋５９に代えて、蓋受け枠１５７と、この蓋受け枠１５７に嵌めj込まれる蓋１５９と、を有するものを、支持孔１３７の上端開口に配置し、支持孔１３７の上端開口を開閉できるようにしてもよい。
【００４２】
なお、図１に示すものと同一の構成又は実質的に同一の構成のものには同一の符号を付すことを基本としているが、形状等が若干異なるものについては異なる符号を付している。図１２及び図１３で新たな符合が付された部分は、図１での対応する部分についての説明を参酌することによってより明確に理解できる。対応する部分の符号は基本的に括弧内に記載されている。
【産業上の利用可能性】
【００４３】
本発明の過剰間隙水排水構造や濾過器及び過剰間隙水排水構造の構成方法は、地震発生時の地盤の液状化により浮き上がるおそれのあるマンホール構造物に適用できる。
【符号の説明】
【００４４】
１                        マンホール構造物
５                        底版ブロック（底部）
２５、１４１              インバートコンクリート（底部）
３３、１３７、１３９      支持孔
３５、１４５、１５５      取付孔
３７                      濾過器
４７、１４９、１５３      ガイドパイプ（排水管）
５１                      誘導パイプ（排水管）
７１                      鞘管
Ｗ                        水  
【図１】
0005912296.tif 000002
【図２】
0005912296.tif 000003
【図３】
0005912296.tif 000004
【図４】
0005912296.tif 000005
【図５】
0005912296.tif 000006
【図６】
0005912296.tif 000007
【図７】
0005912296.tif 000008
【図８】
0005912296.tif 000009
【図９】
0005912296.tif 000010
【図１０】
0005912296.tif 000011
【図１１】
0005912296.tif 000012
【図１２】
0005912296.tif 000013
【図１３】
0005912296.tif 000014